(57)【要約】【課題】本発明は、片刃や両刃の手引き鋸の鋸身のサイズや形状に対して汎用性が大きく、また製作コストを安価にできる鋸鞘の提供を課題とする。【解決手段】鞘体１０と、鞘体１０の内孔内両側で鋸刃を受け入れる一対の鋸刃保護体２０と、鋸鞘の基端部を構成して鋸身を挿入させる挿入口構成体３０と、鋸鞘の先端部を構成して止蓋となる止蓋体４０とを有する鋸鞘１であって、鞘体１０はその断面形状が長手方向に一定な金属成形体とし、一対の鋸刃保護体２０はその断面形状を鞘体１０の内孔内両側の形状に合わせて長手方向に一定な略コ字状としたプラスチック成形体とし、鞘体１０の内孔内両側に略コ字状断面を有する鋸刃保護体２０を挿嵌した状態で、鞘体１０に対してその両側から挿入口構成体３０と止蓋体４０とをそれぞれ嵌合すると共に鞘体１０の内孔内の一対の鋸刃保護体２０に結合させることで全体を一体的に構成してある。【選択図】      図１
2008114443.tif 000002
【特許請求の範囲】
【請求項１】
鋸身を収納するための鞘体と、該鞘体の内孔内両側で鋸刃を受け入れる一対の鋸刃保護体と、鋸鞘の基端部を構成して鋸身を挿入させる挿入口構成体と、鋸鞘の先端部を構成して止蓋となる止蓋体とを有する鋸鞘であって、前記鞘体はその断面形状が長手方向に一定な金属成形体とし、前記一対の鋸刃保護体はその断面形状を前記鞘体の内孔内両側の形状に合わせて長手方向に一定な略コ字状としたプラスチック成形体とし、前記鞘体の内孔内両側に前記略コ字状断面を有する鋸刃保護体を挿嵌した状態で、前記鞘体に対してその両側から前記挿入口構成体と止蓋体とをそれぞれ嵌合すると共に前記鞘体の内孔内の前記一対の鋸刃保護体に結合させることで全体を一体的に構成してあることを特徴とする鋸鞘。
【請求項２】
鞘体の外殻に長手方向のリブを複数本形成すると共に、該鞘体のリブに対応して一対の鋸刃保護体の外殻にもリブを形成し、これによって一対の鋸刃保護体を鞘体の内孔内に挿嵌した際に一対の鋸刃保護体のリブが鞘体のリブと相互に嵌り合って位置決め固定されるようにしてあることを特徴とする請求項１に記載の鋸鞘。
【請求項３】
一対の鋸刃保護体のリブの基端面と先端面とに前記挿入口構成体と止蓋体とをそれぞれ結合して固定するための結合用孔を形成してあることを特徴とする請求項１又２に記載の鋸鞘。
【請求項４】
挿入口構成体は、その基端側を鋸身の挿入口部とすると共に、その先端側を前記鞘体との嵌合部とし、該嵌合部と前記挿入口部との間に段差壁を形成し、該段差壁が前記鞘体の基端面と当接することで位置決めされることを特徴とする請求項１〜３の何れかに記載の鋸鞘。
【請求項５】
挿入口構成体の挿入口部には、挿入口と、その一側に鋸身を前記挿入口に案内するガイド部とを形成してあることを特徴とする請求項４に記載の鋸鞘。
【請求項６】
挿入口部の一部を肉厚部に形成し、該肉厚部に取付紐を通すための複数の紐挿通孔を形成してあることを特徴とする請求項４又は５に記載の鋸鞘。
【請求項７】
挿入口構成体の嵌合部には、前記一対の鋸刃保護体のリブに対応して複数本のリブを形成し、該リブには前記一対の鋸刃保護体のリブの結合用孔に対応して、挿入口構成体を貫通する複数の結合用孔を形成してあることを特徴とする請求項４〜６の何れかに記載の鋸鞘。
【請求項８】
鋸の代わりにナイフや鉈等の刃物の収納に用いることを特徴とする請求項１〜７の何れかに記載の鋸鞘。
【発明の詳細な説明】
【技術分野】
【０００１】
本発明は鋸鞘に関する。
【背景技術】
【０００２】
従来、手引き鋸の鋸身を収納する鋸鞘は、それぞれの鋸身の形状に合ったプラスチック製等の一体成型品として作られている。しかし、それらの鋸鞘は対応する１種類の鋸にのみ使用できるもので、形やサイズの違いがあると、うまく収納できない問題があった。またプラスチック製の一体成型品の鋸鞘の場合には、製作コストに大きな費用を要する問題があった。
一方、特開平７−２１３１７１号公報には、剪定鋸が収納でき、鞘が上下に昇降できる剪定鋸鞘の構造が開示されている。また実用新案登録第３０３４６２５号公報には、替え刃の取替えが随時できるように収納できる替え刃収納可能な鋸鞘が提供されている。
【特許文献１】特開平７−２１３１７１号公報
【特許文献２】実用新案登録第３０３４６２５号公報
【発明の開示】
【発明が解決しようとする課題】
【０００３】
上記特許文献１に示す構造は、鞘が上下に昇降でき、鞘を腰に装着した時の鋸の定位置を決められるものであるが、鋸のサイズには対応できない等、汎用性に欠ける問題があった。また特許文献２に示す鋸鞘は、替え刃の取替えが随時できるように替え刃の収納が可能な鋸鞘であるが、通常の鋸やサイズに対応できない問題があった。
【０００４】
そこで本発明は上記従来の問題点を解決し、片刃や両刃の手引き鋸の鋸身のサイズや形状に対して汎用性が大きく、また製作コストを安価にできる鋸鞘の提供を課題とする。
【課題を解決するための手段】
【０００５】
上記課題を達成するため本発明の鋸鞘は、鋸身を収納するための鞘体と、該鞘体の内孔内両側で鋸刃を受け入れる一対の鋸刃保護体と、鋸鞘の基端部を構成して鋸身を挿入させる挿入口構成体と、鋸鞘の先端部を構成して止蓋となる止蓋体とを有する鋸鞘であって、前記鞘体はその断面形状が長手方向に一定な金属成形体とし、前記一対の鋸刃保護体はその断面形状を前記鞘体の内孔内両側の形状に合わせて長手方向に一定な略コ字状としたプラスチック成形体とし、前記鞘体の内孔内両側に前記略コ字状断面を有する鋸刃保護体を挿嵌した状態で、前記鞘体に対してその両側から前記挿入口構成体と止蓋体とをそれぞれ嵌合すると共に前記鞘体の内孔内の前記一対の鋸刃保護体に結合させることで全体を一体的に構成してあることを第１の特徴としている。
また本発明の鋸鞘は、第１の特徴に加えて、鞘体の外殻に長手方向のリブを複数本形成すると共に、該鞘体のリブに対応して一対の鋸刃保護体の外殻にもリブを形成し、これによって一対の鋸刃保護体を鞘体の内孔内に挿嵌した際に一対の鋸刃保護体のリブが鞘体のリブと相互に嵌り合って位置決め固定されるようにしてあることを第２の特徴としている。
また本発明の鋸鞘は、上記第１又は第２の特徴に加えて、一対の鋸刃保護体のリブの基端面と先端面とに前記挿入口構成体と止蓋体とをそれぞれ結合して固定するための結合用孔を形成してあることを第３の特徴としている。
また本発明の鋸鞘は、上記第１〜第３の何れかの特徴に加えて、挿入口構成体は、その基端側を鋸身の挿入口部とすると共に、その先端側を前記鞘体との嵌合部とし、該嵌合部と前記挿入口部との間に段差壁を形成し、該段差壁が前記鞘体の基端面と当接することで位置決めされることを第４の特徴としている。
また本発明の鋸鞘は、上記第４の特徴に加えて、挿入口構成体の挿入口部には、挿入口と、その一側に鋸身を前記挿入口に案内するガイド部とを形成してあることを第５の特徴としている。
また本発明の鋸鞘は、上記第４又は第５の特徴に加えて、挿入口部の一部を肉厚部に形成し、該肉厚部に取付紐を通すための複数の紐挿通孔を形成してあることを第６の特徴としている。
また本発明の鋸鞘は、上記第４〜第６の何れかの特徴に加えて、挿入口構成体の嵌合部には、前記一対の鋸刃保護体のリブに対応して複数本のリブを形成し、該リブには前記一対の鋸刃保護体のリブの結合用孔に対応して、挿入口構成体を貫通する複数の結合用孔を形成してあることを第７の特徴としている。
また本発明の鋸鞘は、上記第１〜第７の何れかの特徴に加えて、鋸の代わりにナイフや鉈等の刃物の収納に用いることを第８の特徴としている。
【発明の効果】
【０００６】
請求項１に記載の鋸鞘によれば、鋸身を収納するための鞘体と、該鞘体の内孔内両側で鋸刃を受け入れる一対の鋸刃保護体と、鋸鞘の基端部を構成して鋸身を挿入させる挿入口構成体と、鋸鞘の先端部を構成して止蓋となる止蓋体とを有する鋸鞘であって、前記鞘体はその断面形状が長手方向に一定な金属成形体とし、前記一対の鋸刃保護体はその断面形状を前記鞘体の内孔内両側の形状に合わせて長手方向に一定な略コ字状としたプラスチック成形体とし、前記鞘体の内孔両側に前記略コ字状断面を有する一対の鋸刃保護体を挿嵌した状態で、前記鞘体に対してその両側から前記挿入口構成体と止蓋体とをそれぞれ嵌合すると共に前記鞘体の内孔内の前記一対の鋸刃保護体に結合させることで全体を一体的に構成してあるので、
プラスチック成形の一対の鋸刃保護体により、鋸刃を刃毀れなく受け入れることができる。そして金属製の鞘体により、鋸身と一対の鋸刃保護体とを熱や水などから防ぐと共に、強度を保持することができる。また鞘体が金属製であるので表面に印刷等もできる。
鞘体及び一対の鋸刃保護体は何れもその断面形状が長手方向に一定としているので、押出成形品として製造されたものを必要に応じた長さに切断でき、種々の長さのものを自在に用意できる。従って種々の長さの鋸鞘を、低コストで製作することができる。そして一対の鋸刃保護体は略コ字状の簡単な形状ではあるが、鞘体の内孔内の両側に挿嵌．配置されることで、鋸刃を刃毀れなく受け入れることができるのみならず、挿入口構成体と止蓋体を取り付けて確実に固定させることができる重要な機能を果たすことができる。
特に金型にて一体成形する鋸鞘の場合は、金型に大きなコストがかかる他、寸法が変わればそれに応じて金型が必要であったが、本発明の場合には鞘体と一対の鋸刃保護体との長さを調整することで、各種サイズに対応した多種の鋸鞘を提供することができる。
【０００７】
また請求項２に記載の鋸鞘によれば、請求項１に記載の構成による作用効に加えて、鞘体の外殻に長手方向のリブを複数本形成すると共に、該鞘体のリブに対応して一対の鋸刃保護体の外殻にもリブを形成し、これによって一対の鋸刃保護体を鞘体の内孔内に挿嵌した際に一対の鋸刃保護体のリブが鞘体のリブと相互に嵌り合って位置決め固定されるようしてあるので、
前記リブにより鞘体の内孔内の両側に前記一対の鋸刃保護体を正確に挿嵌し易く、挿嵌後に相互に横ズレが生じない。
またプラススチック製で略コ字状である一対の鋸刃保護体の全体の強度を高く保持することができ、更に鋸鞘を支持して強度を増すことができる。
【０００８】
また請求項３に記載の鋸鞘によれば、請求項１又は２に記載の構成による作用効果に加えて、一対の鋸刃保護体のリブの基端面と先端面とに前記挿入口構成体と止蓋体とをそれぞれ固定するための結合用孔を形成してあるので、
前記長手方向に設けられたリブの厚肉を利用して、その基端面と先端面とに結合用孔を設け、良好な取り付け強度をもって挿入口構成体と止蓋体とをそれぞれ取り付けることができる。
【０００９】
また請求項４に記載の鋸鞘によれば、請求項１〜３の何れかに記載の構成による作用効果に加えて、挿入口構成体は、その基端側を鋸身の挿入口部とすると共に、その先端側を前記鞘体との嵌合部とし、該嵌合部と前記挿入口部との間に段差壁を形成し、該段差壁が前記鞘体の基端面と当接することで位置決めされるので、
前記挿入口構成体の前記嵌合部を前記鞘体の基端面から挿入し、前記段差壁が鞘体の基端面に当接するまで押し込むことで、自動的に前記挿入口構成体が前記鞘体の基端面の定位置に挿嵌され、前記内鞘体との結合に最適な位置に位置決めすることができる。
【００１０】
また請求項５に記載の鋸鞘によれば、請求項４に記載の構成による作用効果に加えて、挿入口構成体の挿入口部には、挿入口と、その一側に鋸身を前記挿入口に案内するガイド部とを形成してあるので、
鋸の収納時には、鋸身の先端付近がガイド部に沿って案内され、鋸身をスムーズに挿入口内へ導き入れることができる。
【００１１】
また請求項６に記載の鋸鞘によれば、請求項４又は５に記載の構成による作用効果に加えて、挿入口部の一部を肉厚部に形成し、該肉厚部に取付紐を通すための複数の紐挿通孔を形成してあるので、
挿入口部の肉厚部を利用して、その紐挿通孔に通した紐により鋸鞘を十分確実に、動かないように身体に定着させることができる。
【００１２】
また請求項７に記載の鋸鞘によれば、請求項４〜６の何れかに記載の構成による作用効果に加えて、挿入口構成体の嵌合部には、前記一対の鋸刃保護体のリブに対応して複数本のリブを形成し、該リブには前記一対の鋸刃保護体のリブの結合用孔に対応して、挿入口構成体を貫通する複数の結合用孔を形成してあるので、
鞘体に嵌合された挿入口構成体を、一対の鋸刃保護体に対して、結合用孔を用いてネジやピン等を用いて確実に結合することができる。よって鋸鞘の挿入口部分を強固に構成することができる。
【００１３】
また請求項８に記載の鋸鞘によれば、請求項１〜７の何れかに記載の構成による作用効果に加えて、鋸の代わりにナイフや鉈等の刃物の収納に用いることができるので、
鋸の他、ナイフ、鉈等の鞘としても利用することができる。
【発明を実施するための最良の形態】
【００１４】
以下の図面を参照して、本発明の実施形態に係る鋸鞘について説明する。
図１は本発明の実施形態に係る鋸鞘を示す全体斜視図、図２は鋸鞘の鞘体を示す斜視図、図３は鋸鞘の一対の鋸刃保護体を示す斜視図、図４は鋸鞘の挿入口構成体を示す斜視図、図５は挿入口構成体を嵌合部側から見た図、図６は鋸鞘の止蓋体を示す斜視図、図７は止蓋体を基端側から見た図である。
【００１５】
図１を参照して、本発明の実施形態に係る鋸鞘１は、鋸身を収納するための鞘体１０と、該鞘体１０の内孔内の両側に挿嵌する一対の鋸刃保護体２０と、鋸鞘の基端部を構成して鋸の挿入口となる挿入口構成体３０と、先端部を構成して止蓋となる止蓋体４０とからなり、それら鞘体１０、一対の鋸刃保護体２０、挿入口構成体３０、止蓋体４０が一体的に結合されることで鋸鞘１が構成される。
【００１６】
図２を参照して、鞘体１０は金属製からなり、例えばアルミニウム合金やステンレスの耐腐食性材料を使用できる。また鞘体１０は長手方向に一定の断面形状であるから、押出し加工により形成したものを適当な長さに切断して用いることができる。
鞘体１０は長細い偏平状の筒として鋸鞘の主たる外観を構成する。鞘体１０の長さ寸法は、鞘体１０の内孔内の両側に挿嵌される一対の鋸刃保護体２０の長さよりも少し長く構成されている。
鞘体１０には、その外殻１１の表裏に、長手方向における基端から先端に至る寸法で、リブ１１ａが形成されている。各リブ１１ａに対応する鞘体１０の内孔部分は、凹溝状になされている。
【００１７】
図３を参照して、一対の鋸刃保護体２０は、前記鞘体１０の内孔内両側の形状に合わせて、長手方向に一定な略コ字状２０ａの断面形状を有する外殻２１で構成されている。
一対の鋸刃保護体２０には、前記鞘体１０のリブ１１ａに対応して、前記略コ字状２０ａの外殻２１の開放端付近に、長手方向の基端から先端に至るリブ２１ａが形成されている。本実施形態では、リブ２１ａを表裏にそれぞれ２本ずつ、４本形成している。
一対の鋸刃保護体２０の各リブ２１ａには、長手方向の基端面と先端面とにそれぞれ結合用孔２３を形成している。ここで基端面とは挿入口構成体３０が結合される側の端面であり、先端面とは前記止蓋体４０が結合される側の端面である。これらリブ２１ａの基端面と先端面は厚肉になされているので、結合用孔２３の形成にも効果的に併用できる。この結合用孔２３はネジ孔或いはピン止め孔とされる。
一対の鋸刃保護体２０は、プラスチック成形体としている。プラスチックとしては特にその材質は限定されないが、強化プラスチックや熱硬化性樹脂を用いることができる。また一対の鋸刃保護体２０は、射出成形により長く製造したものを所定の長さに切断して用いることができる。
【００１８】
前記鞘体１０の内孔内の両側に前記一対の鋸刃保護体２０が挿嵌されと、挿嵌された一対の鋸刃保護体２０のリブ２１ａが前記鞘体１０のリブ１１ａ、より具体的にはリブ１１ａの前記凹溝状の内孔部分、に合着した状態となる。鞘体１０の内孔内に挿嵌された一対の鋸刃保護体２０は、そのリブ２１ａで前記鞘体１０のリブ１１ａと嵌り合うため、一定の位置に正確に位置決めされ、横方向のズレ（長手方向に直角な方向のズレ）が生じない。
【００１９】
図４、図５を参照して、挿入口構成体３０はプラスチック製とすることができる。挿入口構成体３０の基端側の半部に挿入口部３１を形成し、該挿入口構成体３０の先端側の残る半部に嵌合部３２を形成している。
挿入口部３１は、挿入口３１ａと、その一側に鋸身を該挿入口３１ａに案内するガイド部３１ｂを形成して構成される。挿入口部３１のガイド部３１ｂは、実際には前記挿入口３１ａの一側で前方に突出した突縁３１ｄの前記挿入口３１ａに面した面である。
挿入口部３１は、前記挿入口３１ａの前記ガイド部３１ｂがある一側とは反対の他側を肉厚部３１ｃに形成、例えば山形状に膨出させて形成している。この肉厚部３１ｃには、腰紐等の紐を通せるように、２ヶ所に挿通孔３４を貫通させて設けている。
【００２０】
挿入口構成体３０の嵌合部３２は、前記鞘体１０の基端側に差し込まれて嵌合する部分で、鞘体１０の基端面の内孔に丁度嵌り合う断面形状をしている。
嵌合部３２には、前記一対の鋸刃保護体２０のリブ２１ａと対応する位置に同形状のリブ３２ａが形成され、該リブ３２ａには結合用孔３３が貫通して形成されている。
嵌合部３２が前記鞘体１０に嵌合され、嵌合部３２の先端面が前記一対の鋸刃保護体２０の先端面に当接した際に、両リブ２１ａ、３２ａとが相互に一致し、また両結合用孔２３、３３が一致して当接するようなされている。
嵌合部３２には、前記挿入口部３１との間に段差壁３２ｂが形成されている。該嵌合部３２を前記鞘体１０の基端側から挿嵌すると、該段差壁３２ｂに前記鞘体１０の基端面１１ｂが当接して、挿入口構成体３０の位置決めが自動的にできるよう構成される。
嵌合部３２を鞘体１０に嵌合し、結合用孔３３にネジ又はピン５０を挿通して一対の鋸刃保護体２０と結合することで、挿入口構成体３０の固定が完了する。
【００２１】
図６、図７を参照して、止蓋体４０は、その先端側に蓋部４１を形成し、また基端側に前記鞘体１０に挿嵌できる嵌合縁４２を形成している。
止蓋体４０の蓋部４１には、その表裏に前記鞘体１０のリブ１１ａに対応するリブ４１ａが、嵌合縁４２には、その表裏に前記一対の鋸刃保護体２０のリブ２１ａに対応するリブ４２ａが、それぞれ形成されている。また前記嵌合縁４２のリブ４２ａには、それぞれ結合用孔４３が貫通して形成されている。
嵌合縁４２は、その外形が前記鞘体１０の先端側に丁度嵌合する形状とされており、またその端面が前記一対の鋸刃保護体２０の先端面形状と対応するよう形成されている。
嵌合縁４２には、前記蓋部４１との間に段差壁４２ｂが形成されているので、嵌合縁４２を前記鞘体１０に挿嵌すると、前記段差壁４２ｂが前記鞘体１０の先端面１１ｃと当接して挿着の位置決めをすることができる。そして前記リブ４２ａに設けられた前記結合用孔４３にネジ又はピン５０を挿通して前記一対の鋸刃保護体２０と結合することで、止蓋体４０の固定が完了する。
なお前記鋸刃保護体２０の長手方向長さと挿入口構成体３０の嵌合部３２と止蓋体４０の嵌合縁４２との長さの合計が、前記鞘体１０の長手方向長さと一致する。
【００２２】
上記のような構成により、本発明の鋸鞘の構成において、前記鞘体１０の内孔内の両側に前記一対の鋸刃保護体２０を挿嵌し、該鞘体１０の基端面１１ｂの内孔に前記挿入口構成体３０を挿嵌してネジ又はピン５０で前記一対の鋸刃保護体２０と固着し、該鞘体１０の先端面１１ｃの内孔に前記止蓋体４０を挿嵌し、ネジ又はピン５０で前記一対の鋸刃保護体２０と固着する。これによって前記鞘体１０が前記挿入口構成体３０と前記止蓋体４０とによって挟持状態に保持された状態で、全体が一体的に構成され、鋸鞘が完成する。
本発明の鋸鞘では、前記一対の鋸刃保護体２０と前記鞘体１０との切断長さを変更するだけで、各種鋸のサイズに対応できる。
【図面の簡単な説明】
【００２３】
【図１】本発明の実施形態に係る鋸鞘を示す全体斜視図である。
【図２】鋸鞘の鞘体を示す斜視図である。
【図３】鋸鞘の一対の鋸刃保護体を示す斜視図である。
【図４】鋸鞘の挿入口構成体を示す斜視図である。
【図５】挿入口構成体を嵌合部側から見た図である。
【図６】鋸鞘の止蓋体を示す斜視図である。
【図７】止蓋体を基端側から見た図である。
【符号の説明】
【００２４】
１    鋸鞘
１０    鞘体
１１    外殻
１１ａ  リブ
１１ｂ  基端面
１１ｃ  先端面
２０    一対の鋸刃保護体
２０ａ  略コ字状
２１    外殻
２１ａ  リブ
２１ｂ  基端面
２１ｃ  先端面
２３    結合用孔
３０    挿入口構成体
３１    挿入口部
３１ａ  挿入口
３１ｂ  ガイド部
３１ｃ  肉厚部
３１ｄ  突縁
３２    嵌合部
３２ａ  リブ
３２ｂ  段差壁
３３    結合用孔
３４    挿通孔
４０    止蓋体
４１    蓋部
４１ａ  リブ
４２    嵌合縁
４２ａ  リブ
４２ｂ  段差壁
４３    結合用孔
５０    ネジ又はピン
【図１】
2008114443.tif 000003
【図２】
2008114443.tif 000004
【図３】
2008114443.tif 000005
【図４】
2008114443.tif 000006
【図５】
2008114443.tif 000007
【図６】
2008114443.tif 000008
【図７】
2008114443.tif 000009